(57)【要約】【課題】  第１および第２の表示領域のサイズの変更後に第１および第２の表示領域を示す信号を再度設定することが不要な映像信号処理装置および映像信号処理方法を提供することである。【解決手段】  リサイズ回路１は、主画面用の映像信号ＶＤｍおよび副画面用の映像信号ＶＤｓにそれぞれリサイズ処理を行い、リサイズ後の主画面用の映像信号ＶＤｍ１およびリサイズ後の副画面用の映像信号ＶＤｓ１を出力する。また、リサイズ回路１は、主画面および副画面の領域を表す領域フラグにリサイズ処理を行い、リサイズ後の主画面用および副画面用の領域フラグＦＬＶｍ１，ＦＬＨｍ１，ＦＬＶｓ１，ＦＬＨｓ１を出力する。映像合成回路２は、リサイズ回路１から出力される映像信号ＶＤｍ１，ＶＤｓ１を合成する。【選択図】        図１
2005341150.tif 000002
【特許請求の範囲】
【請求項１】
第１および第２の表示領域にそれぞれ第１および第２の映像信号に基づいて映像を表示するとともに、前記第１および第２の表示領域のサイズを変更可能な映像信号処理装置であって、
前記第１の表示領域の位置を指定する第１の指定信号を発生する第１の信号発生回路と、
前記第２の表示領域の位置を指定する第２の指定信号を発生する第２の信号発生回路と、
第１の映像信号および前記第１の信号発生回路により発生された第１の指定信号に第１の表示領域のサイズの変更処理を行い、変更後の第１の映像信号および変更後の第１の指定信号を出力する第１の領域変更回路と、
第２の映像信号および前記第２の信号発生回路により発生された第２の指定信号に第２の表示領域のサイズの変更処理を行い、変更後の第２の映像信号および変更後の第２の指定信号を出力する第２の領域変更回路と、
前記第１の領域変更回路から出力された第１の映像信号と前記第２の領域変更回路から出力された第２の映像信号とを合成する合成回路とを備えたことを特徴すると映像信号処理装置。
【請求項２】
前記第１の領域変更回路は、
前記第１の表示領域のサイズに対応する第１の情報に基づいて第１の書き込み制御信号および第１の読み出し制御信号を発生する第１のタイミング発生回路と、
前記第１のタイミング発生回路により発生された第１の書き込み制御信号に応答して第１の映像信号および第１の指定信号を記憶し、前記第１のタイミング発生回路により発生された第１の読み出し制御信号に応答して記憶された第１の映像信号および第１の指定信号を出力する第１の記憶装置とを含み、
前記第２の領域変更回路は、
前記第２の表示領域のサイズに対応する第２の情報に基づいて第２の書き込み制御信号および第２の読み出し制御信号を発生する第２のタイミング発生回路と、
前記第２のタイミング発生回路により発生された第２の書き込み制御信号に応答して第２の映像信号および第２の指定信号を記憶し、前記第２のタイミング発生回路により発生された第２の読み出し制御信号に応答して記憶された第２の映像信号および第２の指定信号を出力する第２の記憶装置とを含むことを特徴とする請求項１記載の映像信号処理装置。
【請求項３】
前記第１の領域変更回路は、
前記第１の信号発生回路により発生された第１の指定信号を多値化する第１の多値化回路と、
第１の映像信号および前記第１の多値化回路により得られた第１の指定信号の帯域を制限し、制限された第１の映像信号および第１の指定信号を前記第１の記憶装置に与える第１の帯域制限回路と、
前記第１の記憶装置から出力された第１の指定信号を二値化する第１の二値化回路とをさらに含み、
前記第２の領域変更回路は、
前記第２の信号発生回路により発生された第２の指定信号を多値化する第２の多値化回路と、
第２の映像信号および前記第２の多値化回路により得られた第２の指定信号の帯域を制限し、制限された第２の映像信号および第２の指定信号を前記第２の記憶装置に与える第２の帯域制限回路と、
前記第２の記憶装置から出力された第２の指定信号を二値化する第２の二値化回路とをさらに含むことを特徴とする請求項３記載の映像信号処理装置。
【請求項４】
前記第１の領域変更回路は、
前記第１の信号発生回路により発生された第１の指定信号を第１の映像信号に多重化する第１の多重化回路と、
前記第１の表示領域のサイズに対応する第１の情報に基づいて第１の書き込み制御信号および第１の読み出し制御信号を発生する第１のタイミング発生回路と、
前記第１のタイミング発生回路により発生された第１の書き込み制御信号に応答して前記第１の多重化回路により得られた第１の映像信号を記憶し、前記第１のタイミング発生回路により発生された第１の読み出し制御信号に応答して記憶された第１の映像信号を出力する第１の記憶装置と、
前記第１の記憶装置から出力された第１の映像信号から第１の指定信号を分離する第１の分離回路とを含み、
前記第２の領域変更回路は、
前記第２の信号発生回路により発生された第２の指定信号を第２の映像信号に多重化する第２の多重化回路と、
前記第２の表示領域のサイズに対応する第２の情報に基づいて第２の書き込み制御信号および第２の読み出し制御信号を発生する第２のタイミング発生回路と、
前記第２のタイミング発生回路により発生された第２の書き込み制御信号に応答して前記第２の多重化回路により得られた第２の映像信号を記憶し、前記第２のタイミング発生回路により発生された第２の読み出し制御信号に応答して記憶された第２の映像信号を出力する第２の記憶装置と、
前記第２の記憶装置から出力された第２の映像信号から第２の指定信号を分離する第２の分離回路とを含むことを特徴とする請求項１記載の映像信号処理装置。
【請求項５】
前記第１の領域変更回路は、
前記第１の信号発生回路により発生された第１の指定信号を多値化する第１の多値化回路と、
第１の映像信号および前記第１の多値化回路により得られた第１の指定信号の帯域を制限し、制限された第１の映像信号および第１の指定信号を前記第１の多重化回路に与える第１の帯域制限回路と、
前記第１の分離回路から出力された第１の指定信号を二値化する第１の二値化回路とをさらに含み、
前記第２の領域変更回路は、
前記第２の信号発生回路により発生された第２の指定信号を多値化する第２の多値化回路と、
第２の映像信号および前記第２の多値化回路により得られた第２の指定信号の帯域を制限し、制限された第２の映像信号および第２の指定信号を前記第２の多重化回路に与える第２の帯域制限回路と、
前記第２の分離回路から出力された第２の指定信号を二値化する第２の二値化回路とをさらに含むことを特徴とする請求項４記載の映像信号処理装置。
【請求項６】
前記第１の信号発生回路により発生される第１の指定信号は、前記第１の表示領域に対応する位置で第１の値を有し、前記第１の表示領域以外の領域に対応する位置で第２の値を有し、
前記第２の信号発生回路により発生される第２の指定信号は、前記第２の表示領域に対応する位置で第１の値を有し、前記第２の表示領域以外の領域に対応する位置で第２の値を有することを特徴とする請求項１〜５のいずれかに記載の映像信号処理装置。
【請求項７】
前記第１の指定信号は、前記第１の表示領域の水平方向の範囲を指定する第１の水平指定信号と、前記第１の表示領域の垂直方向の範囲を指定する第１の垂直指定信号とを含み、
前記第２の指定信号は、前記第２の表示領域の水平方向の範囲を指定する第２の水平指定信号と、前記第２の表示領域の垂直方向の範囲を指定する第２の垂直指定信号とを含むことを特徴とする請求項１〜６のいずれかに記載の映像信号処理装置。
【請求項８】
前記第１の領域変更回路により得られた第１の指定信号および前記第２の領域変更回路により得られた第２の指定信号に基づいて１または複数の信号処理を行う処理回路をさらに備えたことを特徴とする請求項１〜７のいずれかに記載の映像信号処理装置。
【請求項９】
前記第１の領域変更回路により得られた第１の指定信号および前記第２の領域変更回路により得られた第２の指定信号に基づいて、第１の表示領域に第１の映像信号を映像として表示するとともに、第２の表示領域に第２の映像信号を映像として表示する表示装置をさらに備えたことを特徴とする請求項１〜８のいずれかに記載の映像信号処理装置。
【請求項１０】
第１および第２の表示領域にそれぞれ第１および第２の映像信号に基づいて映像を表示するとともに、前記第１および第２の表示領域のサイズを変更可能な映像信号処理方法であって、
前記第１の表示領域の位置を指定する第１の指定信号を発生するステップと、
前記第２の表示領域の位置を指定する第２の指定信号を発生するステップと、
第１の映像信号および前記発生された第１の指定信号に第１の表示領域のサイズの変更処理を行い、変更後の第１の映像信号および変更後の第１の指定信号を出力するステップと、
第２の映像信号および前記発生された第２の指定信号に第２の表示領域のサイズの変更処理を行い、変更後の第２の映像信号および変更後の第２の指定信号を出力するステップと、
前記出力された第１の映像信号と前記出力された第２の映像信号とを合成するステップとを備えたことを特徴すると映像信号処理方法。
【発明の詳細な説明】
【技術分野】
【０００１】
本発明は、第１および第２の表示領域にそれぞれ第１および第２の映像信号に基づいて映像を表示するとともに、第１および第２の表示領域のサイズを変更可能な映像信号処理装置および映像信号処理方法に関する。
【背景技術】
【０００２】
従来より、ディスプレイに主画面および副画面を表示する機能を有する種々の映像信号処理装置が開発されている（例えば、特許文献１〜３参照）。
【０００３】
このような映像信号処理装置においては、主画面および副画面の位置を示すために、主画面の表示領域と副画面の表示領域との境界を示す領域信号ならびに主画面および副画面の表示領域を除く領域を示す領域信号が用いられる。
【特許文献１】特開平８−１８１９３２号公報
【特許文献２】特開２００１−１５７１３８号公報
【特許文献３】特開２００３−１８４９３号公報
【発明の開示】
【発明が解決しようとする課題】
【０００４】
上記の従来の映像信号処理装置において、主画面または副画面のサイズを変更する処理（以下、リサイズと呼ぶ）が行われると、主画面または副画面を構成する走査線の数および１ラインの画素数が変化する。その場合、リサイズ後の主画面または副画面を構成する走査線の数および１ラインの画素数に基づいて領域信号を再度設定しなおす必要がある。それにより、信号処理が複雑になる。
【０００５】
本発明の目的は、第１および第２の表示領域のサイズの変更後に第１および第２の表示領域を示す信号を再度設定することが不要な映像信号処理装置および映像信号処理方法を提供することである。
【課題を解決するための手段】
【０００６】
本発明に係る映像信号処理装置は、第１および第２の表示領域にそれぞれ第１および第２の映像信号に基づいて映像を表示するとともに、第１および第２の表示領域のサイズを変更可能な映像信号処理装置であって、第１の表示領域の位置を指定する第１の指定信号を発生する第１の信号発生回路と、第２の表示領域の位置を指定する第２の指定信号を発生する第２の信号発生回路と、第１の映像信号および第１の信号発生回路により発生された第１の指定信号に第１の表示領域のサイズの変更処理を行い、変更後の第１の映像信号および変更後の第１の指定信号を出力する第１の領域変更回路と、第２の映像信号および第２の信号発生回路により発生された第２の指定信号に第２の表示領域のサイズの変更処理を行い、変更後の第２の映像信号および変更後の第２の指定信号を出力する第２の領域変更回路と、第１の領域変更回路から出力された第１の映像信号と第２の領域変更回路から出力された第２の映像信号とを合成する合成回路とを備えたものである。
【０００７】
本発明に係る映像信号処理装置においては、第１の信号発生回路により第１の表示領域の位置を指定する第１の指定信号が発生され、第２の信号発生回路により第２の表示領域の位置を指定する第２の指定信号が発生される。また、第１の領域変更回路により第１の映像信号および第１の指定信号に第１の表示領域のサイズの変更処理が行われ、変更後の第１の映像信号および変更後の第１の指定信号が出力される。第２の領域変更回路により第２の映像信号および第２の指定信号に第２の表示領域のサイズの変更処理が行われ、変更後の第２の映像信号および変更後の第２の指定信号が出力される。さらに、合成回路により第１の領域変更回路から出力された第１の映像信号と第２の領域変更回路から出力された第２の映像信号とが合成される。
【０００８】
このように、第１の映像信号に第１の表示領域のサイズの変更処理が行われるとともに第１の指定信号に第１の表示領域のサイズの変更処理が行われ、第２の映像信号に第２の表示領域のサイズの変更処理が行われるとともに第２の指定信号に第２の表示領域のサイズの変更処理が行われる。それにより、第１および第２の表示領域のサイズの変更を行った後に、第１および第２の表示領域を示す信号を再度設定する必要がなくなる。
【０００９】
また、第１および第２の表示領域のサイズの変更を行った後の第１および第２の指定信号を用いて第１および第２の表示領域の信号処理をそれぞれ独立に行うことができる。
【００１０】
さらに、第１および第２の表示領域のサイズの変更前の第１および第２の指定信号が第１および第２の表示領域のサイズの変更前の第１および第２の映像信号にそれぞれ対応し、第１および第２の表示領域のサイズの変更後の第１および第２の指定信号が第１および第２の表示領域のサイズの変更後の第１および第２の映像信号にそれぞれ対応しているので、第１および第２の表示領域のサイズの変更前の第１および第２の指定信号または第１および第２の表示領域のサイズの変更後の第１および第２の指定信号を用いることにより、第１および第２の表示領域の信号処理の順序を任意に変更することが可能となる。
【００１１】
第１の領域変更回路は、第１の表示領域のサイズに対応する第１の情報に基づいて第１の書き込み制御信号および第１の読み出し制御信号を発生する第１のタイミング発生回路と、第１のタイミング発生回路により発生された第１の書き込み制御信号に応答して第１の映像信号および第１の指定信号を記憶し、第１のタイミング発生回路により発生された第１の読み出し制御信号に応答して記憶された第１の映像信号および第１の指定信号を出力する第１の記憶装置とを含み、第２の領域変更回路は、第２の表示領域のサイズに対応する第２の情報に基づいて第２の書き込み制御信号および第２の読み出し制御信号を発生する第２のタイミング発生回路と、第２のタイミング発生回路により発生された第２の書き込み制御信号に応答して第２の映像信号および第２の指定信号を記憶し、第２のタイミング発生回路により発生された第２の読み出し制御信号に応答して記憶された第２の映像信号および第２の指定信号を出力する第２の記憶装置とを含んでもよい。
【００１２】
この場合、第１のタイミング発生回路により第１の表示領域のサイズに対応する第１の情報に基づいて第１の書き込み制御信号および第１の読み出し制御信号が発生される。第１の書き込み制御信号に応答して第１の映像信号および第１の指定信号が第１の記憶装置により記憶され、第１の読み出し制御信号に応答して記憶された第１の映像信号および第１の指定信号が出力される。それにより、第１の映像信号および第１の指定信号に第１の表示領域のサイズの変更処理が同時に行われる。
【００１３】
また、第２のタイミング発生回路により第２の表示領域のサイズに対応する第２の情報に基づいて第２の書き込み制御信号および第２の読み出し制御信号が発生される。第２の書き込み制御信号に応答して第２の映像信号および第２の指定信号が第２の記憶装置により記憶され、第２の読み出し制御信号に応答して記憶された第２の映像信号および第２の指定信号が出力される。それにより、第２の映像信号および第２の指定信号に第２の表示領域のサイズの変更処理が同時に行われる。
【００１４】
第１の領域変更回路は、第１の信号発生回路により発生された第１の指定信号を多値化する第１の多値化回路と、第１の映像信号および第１の多値化回路により得られた第１の指定信号の帯域を制限し、制限された第１の映像信号および第１の指定信号を第１の記憶装置に与える第１の帯域制限回路と、第１の記憶装置から出力された第１の指定信号を二値化する第１の二値化回路とをさらに含み、第２の領域変更回路は、第２の信号発生回路により発生された第２の指定信号を多値化する第２の多値化回路と、第２の映像信号および第２の多値化回路により得られた第２の指定信号の帯域を制限し、制限された第２の映像信号および第２の指定信号を第２の記憶装置に与える第２の帯域制限回路と、第２の記憶装置から出力された第２の指定信号を二値化する第２の二値化回路とをさらに含んでもよい。
【００１５】
この場合、第１の多値化回路により第１の指定信号が多値化され、第１の帯域制限回路により第１の映像信号および多値化された第１の指定信号の帯域が制限され、制限された第１の映像信号および第１の指定信号が第１の記憶装置に与えられる。さらに、第１の記憶装置から出力された第１の指定信号が第１の二値化回路により二値化される。
【００１６】
また、第２の多値化回路により第２の指定信号が多値化され、第２の帯域制限回路により第２の映像信号および多値化された第２の指定信号の帯域が制限され、制限された第２の映像信号および第２の指定信号が第２の記憶装置に与えられる。さらに、第２の記憶装置から出力された第２の指定信号が第２の二値化回路により二値化される。
【００１７】
このように、多値化された第１の指定信号に第１の映像信号と同様に帯域の制限および第１の表示領域のサイズの変更処理が行われるので、第１の表示領域のサイズの変更後に第１の指定信号の位置のずれが生じない。
【００１８】
また、多値化された第２の指定信号に第２の映像信号と同様に帯域の制限および第２の表示領域のサイズの変更処理が行われるので、第２の表示領域のサイズの変更後に第２の指定信号の位置のずれが生じない。
【００１９】
第１の領域変更回路は、第１の信号発生回路により発生された第１の指定信号を第１の映像信号に多重化する第１の多重化回路と、第１の表示領域のサイズに対応する第１の情報に基づいて第１の書き込み制御信号および第１の読み出し制御信号を発生する第１のタイミング発生回路と、第１のタイミング発生回路により発生された第１の書き込み制御信号に応答して第１の多重化回路により得られた第１の映像信号を記憶し、第１のタイミング発生回路により発生された第１の読み出し制御信号に応答して記憶された第１の映像信号を出力する第１の記憶装置と、第１の記憶装置から出力された第１の映像信号から第１の指定信号を分離する第１の分離回路とを含み、第２の領域変更回路は、第２の信号発生回路により発生された第２の指定信号を第２の映像信号に多重化する第２の多重化回路と、第２の表示領域のサイズに対応する第２の情報に基づいて第２の書き込み制御信号および第２の読み出し制御信号を発生する第２のタイミング発生回路と、第２のタイミング発生回路により発生された第２の書き込み制御信号に応答して第２の多重化回路により得られた第２の映像信号を記憶し、第２のタイミング発生回路により発生された第２の読み出し制御信号に応答して記憶された第２の映像信号を出力する第２の記憶装置と、第２の記憶装置から出力された第２の映像信号から第２の指定信号を分離する第２の分離回路とを含んでもよい。
【００２０】
この場合、第１の多重化回路により第１の指定信号が第１の映像信号に多重化され、第１のタイミング発生回路により第１の表示領域のサイズに対応する第１の情報に基づいて第１の書き込み制御信号および第１の読み出し制御信号が発生される。さらに、第１の記憶装置により第１の書き込み制御信号に応答して第１の指定信号を含む第１の映像信号が記憶され、第１の読み出し制御信号に応答して記憶された第１の指定信号を含む第１の映像信号が出力される。第１の分離回路により第１の記憶装置から出力された第１の映像信号から第１の指定信号が分離される。それにより、第１の映像信号および第１の指定信号に第１の表示領域のサイズの変更処理が行われる。
【００２１】
また、第２の多重化回路により第２の指定信号が第２の映像信号に多重化され、第２のタイミング発生回路により第２の表示領域のサイズに対応する第２の情報に基づいて第２の書き込み制御信号および第２の読み出し制御信号が発生される。さらに、第２の記憶装置により第２の書き込み制御信号に応答して第２の指定信号を含む第２の映像信号が記憶され、第２の読み出し制御信号に応答して記憶された第２の指定信号を含む第２の映像信号が出力される。第２の分離回路により第２の記憶装置から出力された第２の映像信号から第２の指定信号が分離される。それにより、第２の映像信号および第２の指定信号に第２の表示領域のサイズの変更処理が行われる。
【００２２】
第１の領域変更回路は、第１の信号発生回路により発生された第１の指定信号を多値化する第１の多値化回路と、第１の映像信号および第１の多値化回路により得られた第１の指定信号の帯域を制限し、制限された第１の映像信号および第１の指定信号を第１の多重化回路に与える第１の帯域制限回路と、第１の分離回路から出力された第１の指定信号を二値化する第１の二値化回路とをさらに含み、第２の領域変更回路は、第２の信号発生回路により発生された第２の指定信号を多値化する第２の多値化回路と、第２の映像信号および第２の多値化回路により得られた第２の指定信号の帯域を制限し、制限された第２の映像信号および第２の指定信号を第２の多重化回路に与える第２の帯域制限回路と、第２の分離回路から出力された第２の指定信号を二値化する第２の二値化回路とをさらに含んでもよい。
【００２３】
この場合、第１の多値化回路により第１の指定信号が多値化され、第１の帯域制限回路により第１の映像信号および多値化された第１の指定信号の帯域が制限され、制限された第１の映像信号および第１の指定信号が第１の多重化回路に与えられる。さらに、第１の二値化回路により第１の分離回路から出力された第１の指定信号が二値化される。
【００２４】
また、第２の多値化回路により第２の指定信号が多値化され、第２の帯域制限回路により第２の映像信号および多値化された第２の指定信号の帯域が制限され、制限された第２の映像信号および第２の指定信号が第２の多重化回路に与えられる。さらに、第２の二値化回路により第２の分離回路から出力された第２の指定信号が二値化される。
【００２５】
このように、多値化された第１の指定信号に第１の映像信号と同様に帯域の制限および第１の表示領域のサイズの変更処理が行われるので、第１の表示領域のサイズの変更後に第１の指定信号の位置のずれが生じない。
【００２６】
また、多値化された第２の指定信号に第２の映像信号と同様に帯域の制限および第２の表示領域のサイズの変更処理が行われるので、第２の表示領域のサイズの変更後に第２の指定信号の位置のずれが生じない。
【００２７】
第１の信号発生回路により発生される第１の指定信号は、第１の表示領域に対応する位置で第１の値を有し、第１の表示領域以外の領域に対応する位置で第２の値を有し、第２の信号発生回路により発生される第２の指定信号は、第２の表示領域に対応する位置で第１の値を有し、第２の表示領域以外の領域に対応する位置で第２の値を有してもよい。
【００２８】
この場合、第１の指定信号の第１および第２の値により第１の表示領域の位置が指定される。また、第２の指定信号の第１および第２の値により第２の表示領域の位置が指定される。したがって、第１の指定信号に第１の映像信号とともに第１の表示領域のサイズの変更処理を容易に行うことができるとともに、第２の指定信号に第２の映像信号とともに第２の表示領域のサイズの変更処理を容易に行うことができる。
【００２９】
第１の指定信号は、第１の表示領域の水平方向の範囲を指定する第１の水平指定信号と、第１の表示領域の垂直方向の範囲を指定する第１の垂直指定信号とを含み、第２の指定信号は、第２の表示領域の水平方向の範囲を指定する第２の水平指定信号と、第２の表示領域の垂直方向の範囲を指定する第２の垂直指定信号とを含んでもよい。
【００３０】
この場合、第１の水平指定信号により第１の表示領域の水平方向の範囲が指定され、第１の垂直指定信号により第１の表示領域の垂直方向の範囲が指定される。それにより、第１の表示領域のサイズの変更前および第１の表示領域のサイズの変更後に第１の表示領域の位置を容易に指定することができる。
【００３１】
また、第２の水平指定信号により第２の表示領域の水平方向の範囲が指定され、第２の垂直指定信号により第２の表示領域の垂直方向の範囲が指定される。それにより、第２の表示領域のサイズの変更前および第２の表示領域のサイズの変更後に第２の表示領域の位置を容易に指定することができる。
【００３２】
映像信号処理装置は、第１の領域変更回路により得られた第１の指定信号および第２の領域変更回路により得られた第２の指定信号に基づいて１または複数の信号処理を行う処理回路をさらに備えてもよい。
【００３３】
この場合、第１の領域変更回路により得られた第１の指定信号および第２の領域変更回路により得られた第２の指定信号に基づいて処理回路により１または複数の信号処理が行われる。したがって、第１および第２の表示領域のサイズの変更後に、変更後の第１および第２の指定信号を用いて第１および第２の表示領域の信号処理をそれぞれ独立に行うことができる。
【００３４】
また、第１および第２の表示領域のサイズの変更前の第１および第２の指定信号または第１および第２の表示領域のサイズの変更後の第１および第２の指定信号を用いることにより第１および第２の表示領域の信号処理の順序を任意に変更することが可能となる。
【００３５】
映像信号処理装置は、第１の領域変更回路により得られた第１の指定信号および第２の領域変更回路により得られた第２の指定信号に基づいて、第１の表示領域に第１の映像信号を映像として表示するとともに、第２の表示領域に第２の映像信号を映像として表示する表示装置をさらに備えてもよい。
【００３６】
この場合、表示装置により第１および第２の表示領域が表示されるとともに第１および第２の表示領域のサイズを変更することが可能となる。また、第１および第２の表示領域のサイズの変更後の第１および第２の指定信号を用いることにより第１および第２の表示領域の信号処理を独立に行うことができる。
【００３７】
本発明に係る映像信号処理方法は、第１および第２の表示領域にそれぞれ第１および第２の映像信号に基づいて映像を表示するとともに、第１および第２の表示領域のサイズを変更する映像信号処理方法であって、第１の表示領域の位置を指定する第１の指定信号を発生するステップと、第２の表示領域の位置を指定する第２の指定信号を発生するステップと、第１の映像信号および発生された第１の指定信号に第１の表示領域のサイズの変更処理を行い、変更後の第１の映像信号および変更後の第１の指定信号を出力するステップと、第２の映像信号および発生された第２の指定信号に第２の表示領域のサイズの変更処理を行い、変更後の第２の映像信号および変更後の第２の指定信号を出力するステップと、出力された第１の映像信号と出力された第２の映像信号とを合成するステップとを備えたものである。
【００３８】
本発明に係る映像信号処理方法においては、第１の表示領域の位置を指定する第１の指定信号が発生され、第２の表示領域の位置を指定する第２の指定信号が発生される。また、第１の映像信号および第１の指定信号に第１の表示領域のサイズの変更処理が行われ、変更後の第１の映像信号および変更後の第１の指定信号が出力される。第２の映像信号および第２の指定信号に第２の表示領域のサイズの変更処理が行われ、変更後の第２の映像信号および変更後の第２の指定信号が出力される。さらに、出力された第１の映像信号と出力された第２の映像信号とが合成される。
【００３９】
このように、第１の映像信号に第１の表示領域のサイズの変更処理が行われるとともに第１の指定信号に第１の表示領域のサイズの変更処理が行われ、第２の映像信号に第２の表示領域のサイズの変更処理が行われるとともに第２の指定信号に第２の表示領域のサイズの変更処理が行われる。それにより、第１および第２の表示領域のサイズの変更を行った後に、第１および第２の表示領域を示す信号を再度設定する必要がなくなる。
【００４０】
また、第１および第２の表示領域のサイズの変更を行った後の第１および第２の指定信号を用いて第１および第２の表示領域の信号処理をそれぞれ独立に行うことができる。
【００４１】
さらに、第１および第２の表示領域のサイズの変更前の第１および第２の指定信号が第１および第２の表示領域のサイズの変更前の第１および第２の映像信号にそれぞれ対応し、第１および第２の表示領域のサイズの変更後の第１および第２の指定信号が第１および第２の表示領域のサイズの変更後の第１および第２の映像信号にそれぞれ対応しているので、第１および第２の表示領域のサイズの変更前の第１および第２の指定信号または第１および第２の表示領域のサイズの変更後の第１および第２の指定信号を用いることにより、第１および第２の表示領域の信号処理の順序を任意に変更することが可能となる。
【発明の効果】
【００４２】
本発明によれば、第１および第２の表示領域のサイズの変更を行った後に、第１および第２の表示領域を示す信号を再度設定する必要がなくなる。
【００４３】
また、第１および第２の表示領域のサイズの変更を行った後の第１および第２の指定信号を用いて第１および第２の表示領域の信号処理をそれぞれ独立に行うことができる。
【００４４】
さらに、第１および第２の表示領域のサイズの変更前の第１および第２の指定信号または第１および第２の表示領域のサイズの変更後の第１および第２の指定信号を用いることにより、第１および第２の表示領域の信号処理の順序を任意に変更することが可能となる。
【発明を実施するための最良の形態】
【００４５】
（１）第１の実施の形態
図１は本発明の第１の実施の形態に係る映像信号処理装置の構成を示すブロック図である。
【００４６】
図１の映像信号処理装置は、映像／領域フラグリサイズ回路（以下、リサイズ回路と略記する）１、映像合成回路２、色調整／オフセット調整回路（以下、調整回路と略記する）３、ＡＰＬ（平均画像レベル）輝度値／ヒストグラム計算回路（以下、計算回路と略記する）４、水平垂直エンハンサ５、サイドブランキング付加回路６、誤差拡散回路７、駆動回路８および表示パネル９により構成される。
【００４７】
この映像信号処理装置は、表示パネル９の画面上に主画面および副画面を表示する機能を有するとともに、主画面および副画面のサイズをそれぞれ変更する処理（以下、リサイズと呼ぶ）を行う機能を有する。
【００４８】
リサイズ回路１は、主画面用の映像信号ＶＤｍおよび副画面用の映像信号ＶＤｓにそれぞれリサイズ処理を行い、リサイズ後の主画面用の映像信号ＶＤｍ１およびリサイズ後の副画面用の映像信号ＶＤｓ１を出力する。また、リサイズ回路１は、主画面および副画面の領域を表す領域フラグにリサイズ処理を行い、リサイズ後の主画面用および副画面用の領域フラグＦＬＶｍ１，ＦＬＨｍ１，ＦＬＶｓ１，ＦＬＨｓ１を出力する。リサイズ回路１の詳細については後述する。領域フラグＦＬＶｍ１，ＦＬＨｍ１，ＦＬＶｓ１，ＦＬＨｓ１は、調整回路３、計算回路４、水平垂直エンハンサ５、サイドブランキング付加回路６、誤差拡散回路７および駆動回路８に与えられる。
【００４９】
映像合成回路２は、リサイズ回路１から出力される映像信号ＶＤｍ１，ＶＤｓ１を合成し、合成映像信号ＶＤを調整回路３に与える。
【００５０】
調整回路３は、合成映像信号ＶＤに基づいて主画面および副画面の色調整およびオフセット調整を行い、調整された映像信号ＶＤ１を計算回路４に与える。
【００５１】
計算回路４は、映像信号ＶＤ１に基づいて主画面および副画面のＡＰＬ（平均画像レベル）を計算するとともに、主画面および副画面の輝度分布を示すヒストグラムを計算し、ＡＰＬおよびヒストグラムに基づく主画面および副画面の輝度レベルおよび輝度分布の制御を行い、制御された映像信号ＶＤ２を水平垂直エンハンサ５に与える。
【００５２】
水平垂直エンハンサ５は、映像信号ＶＤ２に基づいて主画面および副画面の輪郭補正を行い、補正された映像信号ＶＤ３をサイドブランキング付加回路６に与える。
【００５３】
サイドブランキング付加回路６は、映像信号ＶＤ３に基づいて主画面および副画面にサイドブランキング領域を付加する処理を行い、処理された映像信号ＶＤ４を誤差拡散回路７に与える。
【００５４】
誤差拡散回路７は、映像信号ＶＤ４に基づいて主画面および副画面の誤差拡散処理を行い、処理された映像信号ＶＤ５を駆動回路８に与える。
【００５５】
駆動回路８は、映像信号ＶＤ５に基づいて駆動信号ＤＶを表示パネル９に与える。それにより、表示パネル９の主画面および副画面にそれぞれ映像が表示される。
【００５６】
表示パネル９は、例えば、プラズマディスプレイパネル、液晶表示パネル、ＣＲＴ（陰極線管）である。
【００５７】
なお、調整回路３、計算回路４、水平垂直エンハンサ５、サイドブランキング付加回路６および誤差拡散回路７の順序は、図１の順序に限らず、任意の順序に設けることができる。
【００５８】
図２は主画面、副画面および領域フラグの関係を示す図である。図２において、映像有効領域２００内に主画面表示領域１００ｍが設定され、映像有効領域２０１内に副画面表示領域１００ｓが設定される。
【００５９】
領域フラグＦＬＨｍにより主画面表示領域１００ｍの水平方向の範囲が規定され、領域フラグＦＬＶｍにより主画面表示領域１００ｍの垂直方向の範囲が規定される。すなわち、主画面表示領域１００ｍの水平方向の範囲内で領域フラグＦＬＨｍが論理“１”（ハイレベル）となり、主画面表示領域１００ｍの水平方向の範囲外で領域フラグＦＬＨｍが論理“０”（ローレベル）となる。また、主画面表示領域１００ｍの垂直方向の範囲内で領域フラグＦＬＶｍが論理“１”（ハイレベル）となり、主画面表示領域１００ｍの垂直方向の範囲外で領域フラグＦＬＶｍが論理“０”（ローレベル）となる。
【００６０】
また、領域フラグＦＬＨｓにより副画面表示領域１００ｓの水平方向の範囲が規定され、領域フラグＦＬＶｓにより副画面表示領域１００ｓの垂直方向の範囲が規定される。すなわち、副画面表示領域１００ｓの水平方向の範囲内で領域フラグＦＬＨｓが論理“１”（ハイレベル）となり、副画面表示領域１００ｓの水平方向の範囲外で領域フラグＦＬＨｓが論理“０”（ローレベル）となる。また、副画面表示領域１００ｓの垂直方向の範囲内で領域フラグＦＬＶｓが論理“１”（ハイレベル）となり、副画面表示領域１００ｓの垂直方向の範囲外で領域フラグＦＬＶｓが論理“０”（ローレベル）となる。
【００６１】
なお、領域フラグＦＬＶｍ，ＦＬＨｍ，ＦＬＶｓ，ＦＬＨｓの論理“１”および“０”は逆であってもよい。
【００６２】
図３は図１の主としてリサイズ回路１の構成を示すブロック図である。
【００６３】
リサイズ回路１は、主画面リサイズ回路１１、副画面リサイズ回路１２、主画面領域フラグ発生回路１３および副画面領域フラグ発生回路１４を含む。
【００６４】
主画面領域フラグ発生回路１３には、主画面用の水平同期信号ＨＳｍ、主画面用の垂直同期信号ＶＳｍ、開始位置設定値ＳＨｍ，ＳＶｍおよび終了位置設定値ＥＨｍ，ＥＶｍが与えられる。
【００６５】
開始位置設定値ＳＨｍは、主画面表示領域１００ｍの水平方向の開始位置（左端の位置）を示し、開始位置設定値ＳＶｍは、主画面表示領域１００ｍの垂直方向の開始位置（上端の位置）を示し、終了位置設定値ＥＨｍは、主画面表示領域１００ｍの水平方向の終了位置（右端の位置）を示し、終了位置設定値ＥＶｍは、主画面表示領域１００ｍの垂直方向の終了位置（下端の位置）を示す。
【００６６】
主画面領域フラグ発生回路１３は、水平同期信号ＨＳｍ、垂直同期信号ＶＳｍ、開始位置設定値ＳＨｍ，ＳＶｍおよび終了位置設定値ＥＨｍ，ＥＶｍに基づいて主画面用の領域フラグＦＬＨｍ，ＦＬＶｍを発生する。
【００６７】
主画面リサイズ回路１１には、主画面用の拡縮率ＥＲｍおよび主画面用の映像信号ＶＤｍが与えられるとともに、主画面領域フラグ発生回路１３により発生された領域フラグＦＬＨｍ，ＦＬＶｍが与えられる。
【００６８】
主画面用の拡縮率ＥＲｍは、主画面表示領域１００ｍのリサイズ後のサイズと主画面表示領域１００ｍのリサイズ前のサイズとの比である。本実施の形態では、水平方向および垂直方向の拡縮率ＥＲｍが共通であるが、水平方向および垂直方向の拡縮率をそれぞれ独立に設定してもよい。
【００６９】
主画面リサイズ回路１１は、拡縮率ＥＲｍに基づいて主画面用の映像信号ＶＤｍおよび領域フラグＦＬＨｍ，ＦＬＶｍにリサイズ処理を行い、リサイズ後の主画面用の映像信号ＶＤｍ１および領域フラグＦＬＨｍ１，ＦＬＶｍ１を出力する。
【００７０】
ここで、主画面のリサイズ処理では、主画面表示領域１００ｍを構成する走査線の数および１ラインの画素の数を増減することにより、主画面表示領域１００ｍのサイズを変更する。
【００７１】
領域フラグＦＬＨｍ１によりリサイズ後の主画面表示領域１００ｍの水平方向の範囲が規定され、領域フラグＦＬＶｍ１によりリサイズ後の主画面表示領域１００ｍの垂直方向の範囲が規定される。
【００７２】
副画面領域フラグ発生回路１４には、副画面用の水平同期信号ＨＳｓ、副画面用の垂直同期信号ＶＳｓ、開始位置設定値ＳＨｓ，ＳＶｓおよび終了位置設定値ＥＨｓ，ＥＶｓが与えられる。
【００７３】
開始位置設定値ＳＨｓは、副画面表示領域１００ｓの水平方向の開始位置（左端の位置）を示し、開始位置設定値ＳＶｓは、副画面表示領域１００ｓの垂直方向の開始位置（上端の位置）を示し、終了位置設定値ＥＨｓは、副画面表示領域１００ｓの水平方向の終了位置（右端の位置）を示し、終了位置設定値ＥＶｓは、副画面表示領域１００ｓの垂直方向の終了位置（下端の位置）を示す。
【００７４】
副画面領域フラグ発生回路１４は、水平同期信号ＨＳｓ、垂直同期信号ＶＳｓ、開始位置設定値ＳＨｓ，ＳＶｓおよび終了位置設定値ＥＨｓ，ＥＶｓに基づいて副画面用の領域フラグＦＬＨｓ，ＦＬＶｓを発生する。
【００７５】
副画面リサイズ回路１２には、副画面用の拡縮率ＥＲｓおよび副画面用の映像信号ＶＤｓが与えられるとともに、副画面領域フラグ発生回路１３により発生された領域フラグＦＬＨｓ，ＦＬＶｓが与えられる。
【００７６】
副画面用の拡縮率ＥＲｓは、副画面表示領域１００ｓのリサイズ後のサイズと副画面表示領域１００ｓのリサイズ前のサイズとの比である。
【００７７】
副画面リサイズ回路１２は、拡縮率ＥＲｓに基づいて副画面用の映像信号ＶＤｓおよび領域フラグＦＬＨｓ，ＦＬＶｓにリサイズ処理を行い、リサイズ後の副画面用の映像信号ＶＤｓ１および領域フラグＦＬＨｓ１，ＦＬＶｓ１を出力する。
【００７８】
ここで、副画面のリサイズ処理では、副画面表示領域１００ｓを構成する走査線の数および１ラインの画素の数を増減することにより、副画面表示領域１００ｓのサイズを変更する。
【００７９】
領域フラグＦＬＨｓ１によりリサイズ後の副画面表示領域１００ｓの水平方向の範囲が規定され、領域フラグＦＬＶｓ１によりリサイズ後の副画面表示領域１００ｓの垂直方向の範囲が規定される。
【００８０】
映像合成回路２は、主画面リサイズ回路１１から出力される映像信号ＶＤｍ１と副画面リサイズ回路１２から出力される映像信号ＶＤｓ１とを合成し、合成映像信号ＶＤを出力する。
【００８１】
図４（ａ）は図３の主画面領域フラグ発生回路１３の構成を示すブロック図であり、図４（ｂ）は図３の副画面領域フラグ発生回路１４の構成を示すブロック図である。
【００８２】
図４（ａ）に示すように、主画面領域フラグ発生回路１３は、カウンタ１３０，１３２およびセレクタ１３１，１３３を含む。
【００８３】
カウンタ１３０は、主画面用の水平同期信号ＨＳｍに基づいて水平走査期間ごとにクロック信号ＣＬＫのパルスをカウントし、カウント値をセレクタ１３１の入力端子Ｐに与える。セレクタ１３１の入力端子Ｑには開始位置設定値ＳＨｍが与えられ、入力端子Ｒには終了位置設定値ＥＨｍが与えられる。
【００８４】
セレクタ１３１は、入力端子Ｐのカウント値が入力端子Ｑの開始位置設定値ＳＨｍ以上でかつ入力端子Ｒの終了位置設定値ＥＨｍよりも小さい場合に、領域フラグＦＬＨｍを論理“１”（ハイレベル）とし、それ以外の場合に領域フラグＦＬＨｍを論理“０”（ローレベル）とする。
【００８５】
カウンタ１３２は、主画面用の垂直同期信号ＶＳｍに基づいて垂直走査期間ごとに水平同期信号ＨＳｍのパルスをカウントし、カウント値をセレクタ１３３の入力端子Ｐに与える。セレクタ１３３の入力端子Ｑには開始位置設定値ＳＶｍが与えられ、入力端子Ｒには終了位置設定値ＥＶｍが与えられる。
【００８６】
セレクタ１３３は、入力端子Ｐのカウント値が入力端子Ｑの開始位置設定値ＳＶｍ以上でかつ入力端子Ｒの終了位置設定値ＥＶｍよりも小さい場合に、領域フラグＦＬＶｍを論理“１”（ハイレベル）とし、それ以外の場合に領域フラグＦＬＶｍを論理“０”（ローレベル）とする。
【００８７】
図４（ｂ）に示すように、副画面領域フラグ発生回路１４は、カウンタ１４０，１４２およびセレクタ１４１，１４３を含む。
【００８８】
カウンタ１４０は、副画面用の水平同期信号ＨＳｓに基づいて水平走査期間ごとにクロック信号ＣＬＫのパルスをカウントし、カウント値をセレクタ１４１の入力端子Ｐに与える。セレクタ１４１の入力端子Ｑには開始位置設定値ＳＨｓが与えられ、入力端子Ｒには終了位置設定値ＥＨｓが与えられる。
【００８９】
セレクタ１４１は、入力端子Ｐのカウント値が入力端子Ｑの開始位置設定値ＳＨｓ以上でかつ入力端子Ｒの終了位置設定値ＥＨｓよりも小さい場合に、領域フラグＦＬＨｓを論理“１”（ハイレベル）とし、それ以外の場合に領域フラグＦＬＨｓを論理“０”（ローレベル）とする。
【００９０】
カウンタ１４２は、副画面用の垂直同期信号ＶＳｓに基づいて垂直走査期間ごとに水平同期信号ＨＳｓのパルスをカウントし、カウント値をセレクタ１４３の入力端子Ｐに与える。セレクタ１４３の入力端子Ｑには開始位置設定値ＳＶｓが与えられ、入力端子Ｒには終了位置設定値ＥＶｓが与えられる。
【００９１】
セレクタ１４３は、入力端子Ｐのカウント値が入力端子Ｑの開始位置設定値ＳＶｓ以上でかつ入力端子Ｒの終了位置設定値ＥＶｓよりも小さい場合に、領域フラグＦＬＶｓを論理“１”（ハイレベル）とし、それ以外の場合に領域フラグＦＬＶｓを論理“０”（ローレベル）とする。
【００９２】
図５は図３の主画面リサイズ回路１１の構成を示すブロック図である。
【００９３】
図５の主画面リサイズ回路１１は、多値化回路１１１，１１２、帯域制限フィルタ１１３，１１４，１１５、メモリ１１６，１１７，１１８、二値化回路１２０，１２１およびタイミング発生回路１２２を含む。
【００９４】
タイミング発生回路１２２は、拡縮率ＥＲｍ、クロック信号ＣＬＫ、水平同期信号ＨＳｍおよび垂直同期信号ＶＳｍに応答して、水平方向の書き込みイネーブル信号ＷＥＨ、水平方向の読み出しイネーブル信号ＲＥＨ、垂直方向の書き込みイネーブル信号ＷＥＶおよび垂直方向の読み出しイネーブル信号ＲＥＶを発生する。
【００９５】
帯域制限フィルタ１１３は、主画面用の映像信号ＶＤｍの帯域を制限し、映像信号ＶＤｍ０をメモリ１１６に与える。書き込みイネーブル信号ＷＥＨ，ＷＥＶに応答して映像信号ＶＤｍ０がメモリ１１６に書き込まれ、読み出しイネーブル信号ＲＥＨ，ＲＥＶに応答してメモリ１１６に記憶された映像信号ＶＤｍ０が映像信号ＶＤｍ１として読み出される。
【００９６】
このようにして、映像信号ＶＤｍのリサイズ処理が行われ、リサイズ後の映像信号ＶＤｍ１が出力される。
【００９７】
多値化回路１１１は、領域フラグＦＬＨｍを多値化し、多値の領域フラグＦＬＨｍａを帯域制限フィルタ１１４に与える。帯域制限フィルタ１１４は、領域フラグＦＬＨｍａの帯域を制限し、領域フラグＦＬＨｍｂをメモリ１１７に与える。書き込みイネーブル信号ＷＥＨに応答して領域フラグＦＬＨｍｂがメモリ１１７に書き込まれ、読み出しイネーブル信号ＲＥＨに応答してメモリ１１７に記憶された領域フラグＦＬＨｍｂが領域フラグＦＬＨｍｃとして読み出される。二値化回路１２０は、メモリ１１７から読み出された領域フラグＦＬＨｍｃを二値化し、二値の領域フラグＦＬＨｍ１を出力する。
【００９８】
このようにして、領域フラグＦＬＨｍのリサイズ処理が行われ、リサイズ後の領域フラグＦＬＨｍ１が得られる。
【００９９】
多値化回路１１２は、領域フラグＦＬＶｍを多値化し、多値の領域フラグＦＬＶｍａを帯域制限フィルタ１１５に与える。帯域制限フィルタ１１５は、領域フラグＦＬＶｍａの帯域を制限し、領域フラグＦＬＶｍｂをメモリ１１８に与える。書き込みイネーブル信号ＷＥＶに応答して領域フラグＦＬＶｍｂがメモリ１１８に書き込まれ、読み出しイネーブル信号ＲＥＶに応答してメモリ１１８に記憶された領域フラグＦＬＶｍｂが領域フラグＦＬＶｍｃとして読み出される。二値化回路１２１は、メモリ１１８から読み出された領域フラグＦＬＶｍｃを二値化し、二値の領域フラグＦＬＶｍ１を出力する。
【０１００】
このようにして、領域フラグＦＬＶｍのリサイズ処理が行われ、リサイズ後の領域フラグＦＬＶｍ１が得られる。
【０１０１】
図３の副画面リサイズ回路１２は、各部に与えられる信号を除いて図５の主画面リサイズ回路１１と同様の構成および動作を有する。図５において、副画面リサイズ回路１２に与えられる信号を括弧書きで示す。
【０１０２】
タイミング発生回路１２２には、拡縮率ＥＲｓ、クロック信号ＣＬＫ、水平同期信号ＨＳｓおよび垂直同期信号ＶＳｓが与えられる。
【０１０３】
また、帯域制限フィルタ１１３には、副画面用の映像信号ＶＤｓが与えられ、帯域制限フィルタ１１３から映像信号ＶＤｓ０がメモリ１１６に与えられ、メモリ１１６に記憶された映像信号ＶＤｓ０が映像信号ＶＤｓ１として読み出される。
【０１０４】
多値化回路１１１には、領域フラグＦＬＨｓが与えられ、多値化回路１１１から領域フラグＦＬＨｓａが帯域制限フィルタ１１４に与えられ、帯域制限フィルタ１１４から領域フラグＦＬＨｓｂがメモリ１１７に与えられ、メモリ１１７に記憶された領域フラグＦＬＨｓｂが領域フラグＦＬＨｓｃとして読み出される。二値化回路１２０には、メモリ１１７から読み出された領域フラグＦＬＨｓｃが与えられ、二値化回路１２０から領域フラグＦＬＨｓ１が出力される。
【０１０５】
多値化回路１１２には、領域フラグＦＬＶｓが与えられ、多値化回路１１２から領域フラグＦＬＶｓａが帯域制限フィルタ１１５に与えられ、帯域制限フィルタ１１５から領域フラグＦＬＶｓａがメモリ１１８に与えられ、メモリ１１８に記憶された領域フラグＦＬＶｓｂが領域フラグＦＬＶｓｃとして読み出される。二値化回路１２１には、メモリ１１８から読み出された領域フラグＦＬＶｓｃが与えられ、二値化回路１２１から領域フラグＦＬＶｓ１が出力される。
【０１０６】
図６は図５の主画面リサイズ回路１１における信号の一例を示すタイミングチャートである。図６は、主画面表示領域１００ｍの水平方向を１／２の拡縮率ＥＲｍでリサイズする場合を示す。
【０１０７】
クロック信号ＣＬＫに同期して映像信号ＶＤｍが帯域制限フィルタ１１３に与えられる。映像信号ＶＤｍは値“０”，“ｙ１”〜“ｙ１０”を含む。
【０１０８】
領域フラグＦＬＨｍが多値化回路１１１に与えられる。領域フラグＦＬＨｍは、主画面表示領域１００ｍの水平方向の開始位置で論理“０”（ローレベル）から論理“１”（ハイレベル）に変化する。
【０１０９】
多値化回路１１１から多値の領域フラグＦＬＨｍａが出力される。領域フラグＦＬＨｍａは値“０”および“１２８”を含む。多値の領域フラグＦＬＨｍａは、帯域制限フィルタ１１４に与えられる。
【０１１０】
一方、帯域制限フィルタ１１３から出力される映像信号ＶＤｍ０は値“０”，“ｙ１’’”，“ｙ１’”〜“ｙ１０’”を含む。また、帯域制限フィルタ１１４から出力される領域フラグＦＬＨｍｂは値“０”，“３２”，“９６”，“１２８”を含む。
【０１１１】
書き込みイネーブル信号ＷＥＨは、クロック信号ＣＬＫの２倍の周期で変化する。書き込みイネーブル信号ＷＥＨがハイレベルのときに、映像信号ＶＤｍ０がメモリ１１６に書き込まれるとともに、領域フラグＦＬＨｍｂがメモリ１１７に書き込まれる。また、読み出しイネーブル信号ＲＥＨがハイレベルのときに、メモリ１１６内の映像信号ＶＤｍ０が映像信号ＶＤｍ１とし読み出されるととともに、メモリ１１７内の領域フラグＦＬＨｍｂが領域フラグＦＬＨｍｃとして読み出される。
【０１１２】
映像信号ＶＤｍ１は、値“０”，“ｙ１’”，“ｙ３’”，“ｙ５’”，“ｙ７’”，“ｙ９’”を含む。また、領域フラグＦＬＨｍｃは、値“０”，“９６”，“１２８”を含む。
【０１１３】
領域フラグＦＬＨｍｃは二値化回路１２０に与えられる。二値化回路１２０から出力される領域フラグＦＬＨｍ１は、論理“０”（ローレベル）および論理“１”（ハイレベル）を含む。
【０１１４】
このようにして、映像信号ＶＤｍとともに領域フラグＦＬＨｍにリサイズ処理が行われ、リサイズ後の映像信号ＶＤｍ１とともに領域フラグＦＬＨｍ１が得られる。
【０１１５】
上記のように、本実施の形態におけるリサイズ回路１によれば、映像信号ＶＤｍ，ＶＤｓのリサイズ処理とともに領域フラグＦＬＨｍ，ＦＬＶｍ，ＦＬＨｓ，ＦＬＶｓのリサイズ処理が行われる。それにより、主画面および副画面のリサイズを行った後に領域フラグを再度設定する必要がなくなる。
【０１１６】
したがって、主画面および副画面のリサイズ後に後段の回路でリサイズ後の領域フラグＦＬＨｍ１，ＦＬＶｍ１，ＦＬＨｓ１，ＦＬＶｓ１を用いて主画面および副画面の信号処理をそれぞれ独立に行うことができる。
【０１１７】
また、リサイズ前の領域フラグＦＬＨｍ，ＦＬＶｍ，ＦＬＨｓ，ＦＬＶｓがリサイズ前の映像信号ＶＤｍ，ＶＤｓに対応し、リサイズ後の領域フラグＦＬＨｍ１，ＦＬＶｍ１，ＦＬＨｓ１，ＦＬＶｓ１がリサイズ後の映像信号ＶＤｍ１，ＶＤｓ１に対応しているので、リサイズ前またはリサイズ後の領域フラグＦＬＨｍ，ＦＬＶｍ，ＦＬＨｓ，ＦＬＶｓ，ＦＬＨｍ１，ＦＬＶｍ１，ＦＬＨｓ１，ＦＬＶｓ１を用いることにより主画面および副画面の信号処理の順序を任意に変更することが可能となる。
【０１１８】
さらに、リサイズ後の領域フラグＦＬＨｍ１，ＦＬＶｍ１，ＦＬＨｓ１，ＦＬＶｓ１を用いることにより映像信号処理装置の全体にわたって主画面、副画面およびサイドブランキング領域の処理範囲を統一することができる。
【０１１９】
図７は図１の調整回路３の動作を説明するための図である。
【０１２０】
上記のように、調整回路３には、リサイズ後の領域フラグＦＬＨｍ１，ＦＬＶｍ１，ＦＬＨｓ１，ＦＬＶｓ１が与えられる。それにより、調整回路３は、リサイズ後の領域フラグＦＬＨｍ１，ＦＬＶｍ１，ＦＬＨｓ１，ＦＬＶｓ１に基づいて、映像有効領域２００内の主画面表示領域１００ｍおよび映像有効領域２０１内の副画面表示領域１００ｓを識別することができる。
【０１２１】
したがって、調整回路３は、図７に示すように、主画面表示領域１００ｍにおける映像信号ＶＤの色調整およびオフセット値調整および副画面表示領域１００ｓにおける色調整およびオフセット値調整をそれぞれ独立に行うことができる。
【０１２２】
図８は図１の計算回路４の動作を説明するための図である。図８（ａ）の例では、映像有効領域２００内に主画面表示領域１００ｍが設定され、映像有効領域２０１内に副画面表示領域１００ｓが設定されている。また、図８（ｂ）の例では、映像有効領域２００内に主画面表示領域１００ｍおよび副画面表示領域１００ｓが設定されている。
【０１２３】
上記のように、計算回路４には、リサイズ後の領域フラグＦＬＨｍ１，ＦＬＶｍ１，ＦＬＨｓ１，ＦＬＶｓ１が与えられる。それにより、図８（ａ）の例では、計算回路４は、リサイズ後の領域フラグＦＬＨｍ１，ＦＬＶｍ１，ＦＬＨｓ１，ＦＬＶｓ１に基づいて、映像有効領域２００内の主画面表示領域１００ｍおよび映像有効領域２０１内の副画面表示領域１００ｓを識別することができる。また、図８（ｂ）の例では、計算回路４は、リサイズ後の領域フラグＦＬＨｍ１，ＦＬＶｍ１，ＦＬＨｓ１，ＦＬＶｓ１に基づいて、映像有効領域２００内の主画面表示領域１００ｍおよび副画面表示領域１００ｓを識別することができる。
【０１２４】
したがって、計算回路４は、主画面表示領域１００ｍのＡＰＬおよび輝度分布を示すヒストグラムの計算および副画面表示領域１００ｓのＡＰＬおよび輝度分布を示すヒストグラムの計算をそれぞれ独立に行うことができ、主画面表示領域１００ｍの輝度レベルおよび輝度分布の補正および副画面表示領域１００ｓの輝度レベルおよび輝度分布の補正をそれぞれ独立に行うことができる。
【０１２５】
特に、計算回路４は、画面全体のＡＰＬの計算時に副画面表示領域１００ｓの輝度を含めるモードおよび副画面表示領域１００ｓの輝度を含めないモードを選択することができる。また、計算回路４は、画面全体の輝度分布を示すヒストグラムの計算時に副画面表示領域１００ｓの輝度を含めるモードおよび副画面表示領域１００ｓの輝度を含めないモードを選択することができる。
【０１２６】
さらに、計算回路４は、輝度レベルまたは輝度分布の補正時に副画面表示領域１００ｓの輝度または輝度分布の補正を行うモードおよび副画面表示領域１００ｓの輝度または輝度分布の補正を行わないモードを選択することができる。
【０１２７】
図９および図１０は図１の水平垂直エンハンサ５の動作を説明するための図である。図９および図１０の下部には、映像信号の強調の程度を示す利得信号ＧＰが示される。
【０１２８】
図９の例では、映像有効領域２００内に主画面表示領域１００ｍが設定され、映像有効領域２０１内に副画面表示領域１００ｓが設定されている。また、図１０の例では、映像有効領域２００内に主画面表示領域１００ｍおよび副画面表示領域１００ｓが設定されている。
【０１２９】
上記のように、水平垂直エンハンサ５には、リサイズ後の領域フラグＦＬＨｍ１，ＦＬＶｍ１，ＦＬＨｓ１，ＦＬＶｓ１が与えられる。それにより、水平垂直エンハンサ５は、リサイズ後の領域フラグＦＬＨｍ１，ＦＬＶｍ１，ＦＬＨｓ１，ＦＬＶｓ１に基づいて、映像有効領域２００内の主画面表示領域１００ｍおよび映像有効領域２０１内の副画面表示領域１００ｓを識別することができる。
【０１３０】
したがって、水平垂直エンハンサ５は、図９および図１０に示すように、主画面表示領域１００ｍと副画面表示領域１００ｓとの境界部の領域ｅ１，ｅ２，ｅ３において主画面表示領域１００ｍおよび副画面表示領域１００ｓの輪郭が強調されないように利得信号ＧＰを制御することができる。例えば、境界線を中心とする一定幅（例えば４画素）の領域において、両端から境界線へ連続的に利得信号ＧＰのレベルを減少させることができる。それにより、主画面表示領域１００ｍと副画面表示領域１００ｓとの間の境界部で輪郭が強調されず、境界部で主画面表示領域１００ｍおよび副画面表示領域１００ｓの映像が滑らかに変化する。
【０１３１】
図１１は図１のサイドブランキング付加回路６の動作を説明するための図である。
【０１３２】
上記のように、サイドブランキング付加回路６には、リサイズ後の領域フラグＦＬＨｍ１，ＦＬＶｍ１，ＦＬＨｓ１，ＦＬＶｓ１が与えられる。それにより、サイドブランキング付加回路６は、リサイズ後の領域フラグＦＬＨｍ１，ＦＬＶｍ１，ＦＬＨｓ１，ＦＬＶｓ１に基づいて、主画面表示領域１００ｍおよび映像有効領域２０１内の副画面表示領域１００ｓを識別することができる。
【０１３３】
したがって、サイドブランキング付加回路６は、図１１に示すように、主画面表示領域１００ｍおよび副画面表示領域１００ｓを除く領域にサイドブランキング領域３００を付加することができる。このサイドブランキング領域３００では、例えば黒い背景が表示される。
【０１３４】
図１２および図１３は図１のサイドブランキング付加回路６および誤差拡散回路７の動作を説明するための図である。
【０１３５】
上記のように、サイドブランキング付加回路６および誤差拡散回路７には、リサイズ後の領域フラグＦＬＨｍ１，ＦＬＶｍ１，ＦＬＨｓ１，ＦＬＶｓ１が与えられる。それにより、サイドブランキング付加回路６および誤差拡散回路７は、リサイズ後の領域フラグＦＬＨｍ１，ＦＬＶｍ１，ＦＬＨｓ１，ＦＬＶｓ１に基づいて、主画面表示領域１００ｍおよび副画面表示領域１００ｓを識別することができる。
【０１３６】
したがって、図１２の例では、サイドブランキング付加回路６は、主画面表示領域１００ｍおよび副画面表示領域１００ｓを除く領域にサイドブランキング領域３００を付加することができ、誤差拡散回路７は、サイドブランキング領域３００を除いて主画面表示領域１００ｍおよび副画面表示領域１００ｓに誤差拡散処理を行うことができる。
【０１３７】
また、図１３の例では、誤差拡散回路７は、誤差拡散領域４００の開始点を主画面表示領域１００ｍの左上の位置に設定する。それにより、主画面表示領域１００ｍの左上の角部に誤差拡散の影響が現れることが防止される。この場合、サイドブランキング付加回路６は、誤差拡散領域４００の外部にサイドブランキング領域３００を設定することができる。
【０１３８】
本実施の形態では、主画面領域フラグ発生回路１３が第１の信号発生回路に相当し、副画面領域フラグ発生回路１４が第２の信号発生回路に相当し、主画面リサイズ回路１１が第１の領域変更回路に相当し、副画面リサイズ回路１２が第２の領域変更回路に相当し、映像合成回路２が合成回路に相当する。また、タイミング発生回路１２２が第１および第２のタイミング発生回路に相当し、メモリ１１６〜１１８が第１および第２の記憶装置に相当する。さらに、多値化回路１１１，１１２が第１および第２の多値化回路に相当し、帯域制限フィルタ１１３〜１１５が第１および第２の帯域制限回路に相当し、二値化回路１２０，１２１が第１および第２の二値化回路に相当する。
【０１３９】
また、リサイズ回路１が第１および第２の領域変更回路を構成し、調整回路３、計算回路４、水平垂直エンハンサ５、サイドブランキング付加回路６および誤差拡散回路７が処理回路に相当し、駆動回路８および表示パネル９が表示装置に相当する。
【０１４０】
また、主画面表示領域１００ｍが第１の表示領域に相当し、副画面表示領域１００ｓが第２の表示領域に相当し、主画面用の映像信号ＶＤｍ，ＶＤｍ１が第１の映像信号に相当し、副画面用の映像信号ＶＤｓ，ＶＤｓ１が第２の映像信号に相当し、領域フラグＦＬＶｍ，ＦＬＨｍ，ＦＬＶｍ１，ＦＬＨｍ１が第１の指定信号に相当し、領域フラグＦＬＶｓ，ＦＬＨｓ，ＦＬＶｓ１，ＦＬＨｓ１が第２の指定信号に相当し、拡縮率ＥＲｍが第１の情報に相当し、拡縮率ＥＲｓが第２の情報に相当し、書き込みイネーブル信号ＷＥＶ，ＷＥＶが第１および第２の書き込み制御信号に相当し、読み出しイネーブル信号ＲＥＨ，ＲＥＶが第１および第２の読み出し制御信号に相当する。
【０１４１】
（２）第２の実施の形態
本発明の第２の実施の形態に係る映像信号処理装置が第１の実施の形態に係る映像信号処理装置と異なるのは、主画面リサイズ回路１１および副画面リサイズ回路１２の構成である。
【０１４２】
図１４は第２の実施の形態に係る映像信号処理装置における主画面リサイズ回路１１の構成を示すブロック図である。
【０１４３】
図１４の主画面リサイズ回路１１においては、多重化回路１２３および分離回路１２４がさらに設けられる。図５の帯域制限フィルタ１１３〜１１５の代わりに帯域制限フィルタ１２５が設けられ、メモリ１１６〜１１８の代わりにメモリ１２６が設けられる。
【０１４４】
多重化回路１２３は、主画面用の映像信号ＶＤｍに多値化回路１１１から与えられる領域フラグＦＬＨｍａおよび多値化回路１１２から与えられる領域フラグＦＬＶｍａを多重化し、多重化された映像信号ＶＤｍ２を帯域制限フィルタ１２５に与える。
【０１４５】
帯域制限フィルタ１２５は、映像信号ＶＤｍ２の帯域を制限し、映像信号ＶＤｍ３をメモリ１２６に与える。書き込みイネーブル信号ＷＥＨ，ＷＥＶに応答して映像信号ＶＤｍ３がメモリ１２６に書き込まれ、読み出しイネーブル信号ＲＥＨ，ＲＥＶに応答してメモリ１２６に記憶された映像信号ＶＤｍ３が映像信号ＶＤｍ４として読み出される。
【０１４６】
分離回路１２４は、メモリ１２６から読み出された映像信号ＶＤｍ４から領域フラグＦＬＨｍｃ，ＦＬＶｍｃを分離し、映像信号ＶＤｍ１および領域フラグＦＬＨｍｃ，ＦＬＶｍｃを出力する。
【０１４７】
二値化回路１２０は、分離回路１２４から出力された領域フラグＦＬＨｍｃを二値化し、二値の領域フラグＦＬＨｍ１を出力する。二値化回路１２１は、分離回路１２４から出力された領域フラグＦＬＶｍｃを二値化し、二値の領域フラグＦＬＶｍ１を出力する。
【０１４８】
このようにして、映像信号ＶＤｍのリサイズ処理が行われ、リサイズ後の映像信号ＶＤｍ１が出力される。また、領域フラグＦＬＨｍ，ＦＬＶｍのリサイズ処理が行われ、リサイズ後の領域フラグＦＬＨｍ１，ＦＬＶｍ１が得られる。
【０１４９】
第２の実施の形態における副画面リサイズ回路１２は、各部に与えられる信号を除いて図１４の主画面リサイズ回路１１と同様の構成および動作を有する。図１４において、副画面リサイズ回路１２に与えられる信号を括弧書きで示す。
【０１５０】
タイミング発生回路１２２には、拡縮率ＥＲｓ、クロック信号ＣＬＫ、水平同期信号ＨＳｓおよび垂直同期信号ＶＳｓが与えられる。
【０１５１】
多値化回路１１１には、領域フラグＦＬＨｓが与えられ、多値化回路１１２には、領域フラグＦＬＶｓが与えられる。多重化回路１２３には、副画面用の映像信号ＶＤｓが与えられ、多値化回路１１１から領域フラグＦＬＨｓａが与えられ、多値化回路１１２から領域フラグＦＬＶｓａが与えられる。
【０１５２】
帯域制限フィルタ１２５には、多重化回路１２３から多重化された映像信号ＶＤｓ２が与えられ、帯域制限フィルタ１２５から映像信号ＶＤｓ３がメモリ１２６に与えられ、メモリ１２６に記憶された映像信号ＶＤｓ３が映像信号ＶＤｓ４として読み出される。
【０１５３】
分離回路１２４には、メモリ１２６から読み出された映像信号ＶＤｓ４が与えられ、分離回路１２４から映像信号ＶＤｓ１が出力され、二値化回路１２０に領域フラグＦＬＨｓｃが与えられ、二値化回路１２１に領域フラグＦＬＶｓｃが与えられる。二値化回路１２０から領域フラグＦＬＨｓ１が出力され、二値化回路１２１から領域フラグＦＬＶｓ１が出力される。
【０１５４】
図１５は図１４の主画面リサイズ回路１１における信号の一例を示すタイミングチャートである。図１５には、クロック信号ＣＬＫおよび複数ラインの多重化された映像信号ＶＤｍ２が示される。ｍ、ｎおよびｋは、それぞれ任意の整数である。
【０１５５】
図１５の例では、第ｎラインの映像信号に多値の領域フラグＦＬＨｍａが多重化されている。領域フラグＦＬＨｍａは値“０”および“１２８”を含む。また、第ｎライン〜第ｋ＋２ラインの映像信号の第ｍ番目の画素に多値の領域フラグＦＬＶｍａが多重化されている。領域フラグＦＬＶｍａは値“０”および“１２８”を含む。
【０１５６】
このようにして、映像信号ＶＤｍ２に領域フラグＦＬＨｍａ，ＦＬＶｍａが多重化される。
【０１５７】
図１６は図１４の主画面リサイズ回路１１における映像信号および領域フラグの多重化を示す図である。図１７は図１４の主画面リサイズ回路１１におけるリサイズ処理および映像信号および領域フラグの分離を示す図である。図１６および図１７には、主画面表示領域１００ｍ、水平同期信号ＨＳｍおよび垂直同期信号ＶＳｍが示される。
【０１５８】
まず、図１６の上部に示されるように、主画面映像信号ＶＤｍおよび領域フラグＦＬＨｍ，ＦＬＶｍが与えられる。主画面映像信号ＶＤｍに領域フラグＦＬＨｍ，ＦＬＶｍが多重化され、図１６の下部に示される映像信号ＶＤｍ２が得られる。
【０１５９】
次に、映像信号ＶＤｍ２のリサイズ処理が行われ、図１７の上部に示されるように、リサイズ後の映像信号ＶＤｍ４が得られる。さらに、映像信号ＶＤｍ４から図１７の下部に示されるリサイズ後の領域フラグＦＬＨｍ１，ＦＬＶｍ１が分離される。
【０１６０】
上記のように、本実施の形態におけるリサイズ回路１によれば、映像信号ＶＤｍ，ＶＤｓのリサイズ処理とともに領域フラグＦＬＨｍ，ＦＬＶｍ，ＦＬＨｓ，ＦＬＶｓのリサイズ処理が行われる。それにより、主画面および副画面のリサイズを行った後に領域フラグを再度設定する必要がなくなる。
【０１６１】
したがって、主画面および副画面のリサイズ後に後段の回路でリサイズ後の領域フラグＦＬＨｍ１，ＦＬＶｍ１，ＦＬＨｓ１，ＦＬＶｓ１を用いて主画面および副画面の信号処理をそれぞれ独立に行うことができる。
【０１６２】
また、リサイズ前の領域フラグＦＬＨｍ，ＦＬＶｍ，ＦＬＨｓ，ＦＬＶｓがリサイズ前の映像信号ＶＤｍ，ＶＤｓに対応し、リサイズ後の領域フラグＦＬＨｍ１，ＦＬＶｍ１，ＦＬＨｓ１，ＦＬＶｓ１がリサイズ後の映像信号ＶＤｍ１，ＶＤｓ１に対応しているので、リサイズ前またはリサイズ後の領域フラグＦＬＨｍ，ＦＬＶｍ，ＦＬＨｓ，ＦＬＶｓ，ＦＬＨｍ１，ＦＬＶｍ１，ＦＬＨｓ１，ＦＬＶｓ１を用いることにより主画面および副画面の信号処理の順序を任意に変更することが可能となる。
【０１６３】
さらに、リサイズ後の領域フラグＦＬＨｍ１，ＦＬＶｍ１，ＦＬＨｓ１，ＦＬＶｓ１を用いることにより映像信号処理装置の全体にわたって主画面、副画面およびサイドブランキング領域の処理範囲を統一することができる。
【０１６４】
本実施の形態では、多重化回路１２３が第１および第２の多重化回路に相当し、分離回路１２４が第１および第２の分離回路に相当し、メモリ１２６が第１および第２の記憶装置に相当し、帯域制限フィルタ１２５が第１および第２の帯域制限回路に相当する。
【産業上の利用可能性】
【０１６５】
本発明は、ＣＲＴ（陰極線管）を用いたテレビジョン受像機、プラズマディスプレイ装置、液晶表示装置等の種々の映像信号処理装置等に利用することができる。
【図面の簡単な説明】
【０１６６】
【図１】本発明の第１の実施の形態に係る映像信号処理装置の構成を示すブロック図
【図２】主画面、副画面および領域フラグの関係を示す図
【図３】図１の主としてリサイズ回路の構成を示すブロック図
【図４】図３の主画面領域フラグ発生回路の構成を示すブロック図および図３の副画面領域フラグ発生回路の構成を示すブロック図
【図５】図３の主画面リサイズ回路の構成を示すブロック図
【図６】図５の主画面リサイズ回路における信号の一例を示すタイミングチャート
【図７】図１の調整回路の動作を説明するための図
【図８】図１の計算回路の動作を説明するための図
【図９】図１の水平垂直エンハンサの動作を説明するための図
【図１０】図１の水平垂直エンハンサの動作を説明するための図
【図１１】図１のサイドブランキング付加回路の動作を説明するための図
【図１２】図１のサイドブランキング付加回路および誤差拡散回路の動作を説明するための図
【図１３】図１のサイドブランキング付加回路および誤差拡散回路の動作を説明するための図
【図１４】第２の実施の形態に係る映像信号処理装置における主画面リサイズ回路の構成を示すブロック図
【図１５】図１４の主画面リサイズ回路における信号の一例を示すタイミングチャート
【図１６】図１４の主画面リサイズ回路における映像信号および領域フラグの多重化を示す図
【図１７】図１４の主画面リサイズ回路におけるリサイズ処理および映像信号および領域フラグの分離を示す図
【符号の説明】
【０１６７】
１  映像／領域フラグリサイズ回路
２  映像合成回路
３  色調整／オフセット調整回路
４  ＡＰＬ輝度値／ヒストグラム計算回路
５  水平垂直エンハンサ
６  サイドブランキング付加回路
７  誤差拡散回路
８  駆動回路
９  表示パネル
１１  主画面リサイズ回路
１２  副画面リサイズ回路
１３  主画面領域フラグ発生回路
１４  副画面領域フラグ発生回路
１３０，１３２，１４０，１４２  カウンタ
１３１，１３３，１４１，１４３  セレクタ
１００ｍ  主画面表示領域
１００ｓ  副画面表示領域
２００，２０１  映像有効領域
ＶＤｍ，ＶＤｍ０，ＶＤｍ１，ＶＤｍ２，ＶＤｍ３  主画面用の映像信号
ＶＤｓ，ＶＤｓ０，ＶＤｓ１，ＶＤｓ２，ＶＤｓ３  副画面用の映像信号
ＶＤ  合成映像信号
ＶＤ１，ＶＤ２，ＶＤ３，ＶＤ４，ＶＤ５  映像信号
ＤＶ  駆動信号
ＦＬＶｍ，ＦＬＶｍ１，ＦＬＶｍａ，ＦＬＶｍｂ，ＦＬＶｍｃ，ＦＬＨｍ，ＦＬＨｍ１，ＦＬＨｍｂ，ＦＬＨｍｃ，ＦＬＨｍｃ，ＦＬＶｓ，ＦＬＶｓ１，ＦＬＶｓａ，ＦＬＶｓｂ，ＦＬＶｓｃ，ＦＬＨｓ，ＦＬＨｓ１，ＦＬＨｓａ，ＦＬＨｓｂ，ＦＬＨｓｃ  領域フラグ
ＥＲｍ，ＥＲｓ  拡縮率
ＨＳｍ  主画面用の水平同期信号
ＨＳｓ  副画面用の水平同期信号
ＶＳｍ  主画面用の垂直同期信号
ＶＳｓ  副画面用の垂直同期信号
ＣＬＫ  クロック信号
ＷＥＨ  水平書き込みイネーブル信号
ＲＥＨ  水平読み出しイネーブル信号
ＷＥＶ  垂直書き込みイネーブル信号
ＲＥＶ  垂直読み出しイネーブル信号
【図１】
2005341150.tif 000003
【図２】
2005341150.tif 000004
【図３】
2005341150.tif 000005
【図４】
2005341150.tif 000006
【図５】
2005341150.tif 000007
【図６】
2005341150.tif 000008
【図７】
2005341150.tif 000009
【図８】
2005341150.tif 000010
【図９】
2005341150.tif 000011
【図１０】
2005341150.tif 000012
【図１１】
2005341150.tif 000013
【図１２】
2005341150.tif 000014
【図１３】
2005341150.tif 000015
【図１４】
2005341150.tif 000016
【図１５】
2005341150.tif 000017
【図１６】
2005341150.tif 000018
【図１７】
2005341150.tif 000019